(57)【要約】【課題】扉ユニットを開放した際の扉ユニットの捩れを低減することができる画像形成装置を提供する。【解決手段】画像形成装置において、シートに画像を形成する画像形成部を有する装置本体と、上下方向に延びる軸を中心に前記装置本体に対して開閉可能に支持される扉ユニットであって、シートが積載されるシート積載部と、前記シート積載部に積載されたシートを前記画像形成部へ給送するシート給送部と、を有する扉ユニットと、前記扉ユニットが前記装置本体に対して開放した状態で前記扉ユニットの当接領域に当接し、前記扉ユニットの開放角度を規制する規制部と、を備え、前記扉ユニットの重心は、前記上下方向において前記当接領域と重なる位置に位置し、前記当接領域の前記上下方向における中心及び前記重心は、前記扉ユニットの前記上下方向における中心に対して一方側に位置している。【選択図】図６
2020003757.tif 000002
【特許請求の範囲】
【請求項１】
シートに画像を形成する画像形成部を有する装置本体と、
上下方向に延びる軸を中心に前記装置本体に対して開閉可能に支持される扉ユニットであって、シートが積載されるシート積載部と、前記シート積載部に積載されたシートを前記画像形成部へ給送するシート給送部と、を有する扉ユニットと、
前記扉ユニットが前記装置本体に対して開放した状態で前記扉ユニットの当接領域に当接し、前記扉ユニットの開放角度を規制する規制部と、を備え、
前記扉ユニットの重心は、前記上下方向において前記当接領域と重なる位置に位置し、
前記当接領域の前記上下方向における中心及び前記重心は、前記扉ユニットの前記上下方向における中心に対して一方側に位置している、
ことを特徴とする画像形成装置。
【請求項２】
前記当接領域は、前記軸の径方向において前記重心よりも前記軸に近い位置に位置する、
ことを特徴とする請求項１に記載の画像形成装置。
【請求項３】
前記シート給送部は、前記シート積載部に積載されたシートを給送する給送手段と、前記給送手段により給送されるシートを１枚ずつ分離する分離手段と、前記給送手段及び前記分離手段を駆動させるための駆動力を発生させる駆動源と、を有する、
ことを特徴とする請求項１又は２に記載の画像形成装置。
【請求項４】
前記当接領域の前記上下方向における前記中心及び前記重心は、前記扉ユニットの前記上下方向における前記中心に対して下方側に位置している、
ことを特徴とする請求項１乃至３のいずれか１項に記載の画像形成装置。
【請求項５】
前記規制部は、前記上下方向において少なくとも前記扉ユニットの下端部から上端部まで延び、
前記扉ユニットの上面と前記扉ユニットの下面との前記上下方向における中心は、前記扉ユニットの前記上下方向における前記中心であり、
前記当接領域の上端は、前記扉ユニットの前記上面よりも下方に位置する、
ことを特徴とする請求項４に記載の画像形成装置。
【請求項６】
前記扉ユニットの側面は、前記当接領域が形成されて前記上下方向に延びる第１面と、前記第１面の上端と前記扉ユニットの前記上面とを接続し、上下方向に対して傾斜するように延びる第２面と、を有する、
ことを特徴とする請求項５に記載の画像形成装置。
【請求項７】
前記扉ユニットの上面と前記扉ユニットの下面との上下方向における中心は、前記扉ユニットの前記上下方向における前記中心であり、
前記当接領域が形成される前記扉ユニットの側面は、前記扉ユニットの前記下面と前記上面とを接続し、
前記規制部は、前記扉ユニットが前記装置本体に対して開放した状態で前記側面の上端部と対向する凹部を有し、前記上下方向において少なくとも前記扉ユニットの下端部から前記扉ユニットの上端部まで延びている、
ことを特徴とする請求項４に記載の画像形成装置。
【請求項８】
前記画像形成装置の設定に関する情報を表示可能な表示装置を備え、
前記規制部は、前記装置本体に支持されると共に前記表示装置を支持する支持部材である、
ことを特徴とする請求項１乃至７のいずれか１項に記載の画像形成装置。
【請求項９】
シートに画像を形成する画像形成部を有する装置本体と、
上下方向に延びる軸を中心に前記装置本体に対して開閉可能に支持される扉ユニットであって、シートが積載されるシート積載部と、前記シート積載部に積載されたシートを前記画像形成部へ給送する給送ローラと、を有する扉ユニットと、
前記扉ユニットが前記装置本体に対して開放した状態で前記扉ユニットの当接領域に当接し、前記扉ユニットの開放角度を規制する規制部と、を備え、
前記給送ローラは、前記上下方向において前記当接領域と重なる位置に位置し、
前記当接領域の前記上下方向における中心及び前記給送ローラは、前記扉ユニットの前記上下方向における中心に対して一方側に位置している、
ことを特徴とする画像形成装置。
【発明の詳細な説明】
【技術分野】
【０００１】
本発明は、シートに画像を形成する画像形成装置に関する。
【背景技術】
【０００２】
従来、シートに画像を形成する画像形成部を有する装置本体の正面に、メンテナンスや詰まったシートの除去作業の際に開放される前ドアを備えた画像形成装置が提案されている（特許文献１参照）。この画像形成装置は、前ドアに装置本体の下端部と前ドアの下端部とを係止するストッパ部材を備えており、装置本体に対して前ドアが予め定められた角度開放した際に前ドアが係止されるように構成されている。また、一般に、装置本体の側面に設けられ、手差ししたシートを給送する手差し給送部を有する扉ユニットが知られている。
【先行技術文献】
【特許文献】
【０００３】
【特許文献１】特開２００４−１２２３７０号公報
【発明の概要】
【発明が解決しようとする課題】
【０００４】
上記扉ユニットは、手差し給送部を有しているため、一般に重心が扉ユニットの上下方向における中心よりもやや下方に位置していることが多い。このような扉ユニットにおいて、上記特許文献１に記載のストッパ部材によって扉ユニットの下端部を係止するように構成した場合、扉ユニットの重心とストッパ部材とが上下方向においてずれている。このような扉ユニットを勢いよく開放すると、扉ユニットは所定の開放角度においてストッパ部材により係止されるが、扉ユニットが慣性により更に開放しようとして捩れ、扉ユニットの歪みや変形が起こりやすかった。
【０００５】
そこで、本発明は、扉ユニットを開放した際の扉ユニットの捩れを低減することができる画像形成装置を提供することを目的とするものである。
【課題を解決するための手段】
【０００６】
本発明は、画像形成装置において、シートに画像を形成する画像形成部を有する装置本体と、上下方向に延びる軸を中心に前記装置本体に対して開閉可能に支持される扉ユニットであって、シートが積載されるシート積載部と、前記シート積載部に積載されたシートを前記画像形成部へ給送するシート給送部と、を有する扉ユニットと、前記扉ユニットが前記装置本体に対して開放した状態で前記扉ユニットの当接領域に当接し、前記扉ユニットの開放角度を規制する規制部と、を備え、前記扉ユニットの重心は、前記上下方向において前記当接領域と重なる位置に位置し、前記当接領域の前記上下方向における中心及び前記重心は、前記扉ユニットの前記上下方向における中心に対して一方側に位置している、ことを特徴とする。
【０００７】
また、本発明は、画像形成装置において、シートに画像を形成する画像形成部を有する装置本体と、上下方向に延びる軸を中心に前記装置本体に対して開閉可能に支持される扉ユニットであって、シートが積載されるシート積載部と、前記シート積載部に積載されたシートを前記画像形成部へ給送する給送ローラと、を有する扉ユニットと、前記扉ユニットが前記装置本体に対して開放した状態で前記扉ユニットの当接領域に当接し、前記扉ユニットの開放角度を規制する規制部と、を備え、前記給送ローラは、前記上下方向において前記当接領域と重なる位置に位置し、前記当接領域の前記上下方向における中心及び前記給送ローラは、前記扉ユニットの前記上下方向における中心に対して一方側に位置している、ことを特徴とする。
【発明の効果】
【０００８】
本発明によると、当接領域の前記上下方向における中心及び扉ユニットの重心が、扉ユニットの上下方向における中心に対して一方側に位置するので、扉ユニットを開放した際の扉ユニットの捩れを低減することができる。
【図面の簡単な説明】
【０００９】
【図１】第１の実施の形態に係る画像形成装置を示す全体概略図。
【図２】右扉が開放している状態における画像形成装置の斜視図。
【図３】画像形成装置を示す正面図で、（ａ）は、右扉が閉鎖している状態の正面図、（ｂ）は、右扉が開放している状態の正面図。
【図４】画像形成装置を示す斜視図で、（ａ）は、右扉が閉鎖している状態の斜視図、（ｂ）は、右扉が開放している状態の斜視図。
【図５】右扉の左側面図。
【図６】画像形成装置を示す右側面図で、（ａ）は、右扉が閉鎖している状態の右側面図、（ｂ）は、右扉が開放している状態の右側面図。
【図７】回動方向への手差し給送扉の変位の時間変化を示すグラフで、（ａ）は、比較例における時間変化を示すグラフ、（ｂ）は第１の実施の形態における時間変化を示すグラフ。
【図８】第２の実施の形態に係る画像形成装置の斜視図。
【発明を実施するための形態】
【００１０】
＜第１の実施の形態＞
［全体構成］
まず、本発明の第１の実施の形態について説明する。図１に示すように、第１の実施の形態に係る画像形成装置としてのプリンタ１００は、４色のトナー像を形成する電子写真方式のレーザビームプリンタである。プリンタ１００は、図１に示すように、原稿の画像を読み取るリーダ部４３と、リーダ部４３の下方に設けられる装置本体９０と、を備えている。装置本体９０は、カセット給送部６０と、画像形成部１と、定着装置５と、扉ユニット２と、を備えている。
【００１１】
プリンタ１００に画像形成の指令が出力されると、リーダ部４３又はプリンタ１００に接続された外部のコンピュータ等から入力された画像情報に基づいて、画像形成部１による画像形成プロセスが開始される。画像形成部１は、スキャナ部１３Ｙ，１３Ｍ，１３Ｃ，１３Ｋと、イエロー（Ｙ）、マゼンタ（Ｍ）、シアン（Ｃ）及びブラック（Ｋ）の４色の画像を形成する４つのプロセスカートリッジ１Ｙ，１Ｍ，１Ｃ，１Ｋと、を有している。なお、４つのプロセスカートリッジ１Ｙ，１Ｍ，１Ｃ，１Ｋは、形成する画像の色が異なること以外は同じ構成であり、プロセスカートリッジ１Ｙの画像形成プロセスのみを説明し、プロセスカートリッジ１Ｍ，１Ｃ，１Ｋの説明は省略する。
【００１２】
スキャナ部１３Ｙは、入力された画像情報に基づいて、プロセスカートリッジ１Ｙの感光ドラム１１Ｙに向けてレーザ光を照射する。このとき感光ドラム１１Ｙは、帯電器１２Ｙにより予め帯電されており、レーザ光が照射されることで感光ドラム１１Ｙ上に静電潜像が形成される。その後、現像器１４Ｙにより静電潜像が現像され、感光ドラム１１Ｙ上にイエロー（Ｙ）のトナー像が形成される。
【００１３】
同様にして、プロセスカートリッジ１Ｙ，１Ｍ，１Ｋの感光ドラム上にも、マゼンタ（Ｍ）、シアン（Ｃ）及びブラック（Ｋ）のトナー像が形成される。各感光ドラム上に形成された各色のトナー像は、一次転写ローラ３５Ｙ，３５Ｍ，３５Ｃ，３５Ｋにより中間転写ベルト３６に転写され、回転する中間転写ベルト３６により二次転写内ローラ３７まで搬送される。なお、各色の画像形成プロセスは、中間転写ベルト３６上に一次転写された上流のトナー像に重ね合わせるタイミングで行われる。
【００１４】
上述の画像形成プロセスに並行して、カセット給送部６０又は扉ユニット２からシートＳが給送される。カセット給送部６０は、４段のカセット６１，６２，６３，６４と、各カセットに対応したカセット給送ローラ７１，７２，７３，７４と、を有しており、例えばシートサイズに応じて、適宜カセットが選択されてシートを給送する。
【００１５】
給送されたシートＳは、レジストレーションローラ対７５により斜行が補正され、所定の搬送タイミングで搬送される。そして、シートＳには、二次転写内ローラ３７及び二次転写外ローラ４１によって、中間転写ベルト３６上のフルカラーのトナー像が転写される。トナー像が転写されたシートＳは、ベルト搬送体４２によって搬送され、定着装置５において所定の熱及び圧力が付与されて、トナーが溶融固着される。定着装置５を通過したシートＳは、排出口５０から機外に排出される。
【００１６】
シートの両面に画像形成する場合には、第１面に画像が形成され定着装置５を通過したシートＳは、反転搬送路５２に搬送され、スイッチバック搬送されることで表裏及び前後が反転する。そして、シートＳは、両面搬送路８５を介して再度レジストレーションローラ対７５へと搬送され、二次転写内ローラ３７及び二次転写外ローラ４１によって第２面にトナー像が転写される。
【００１７】
プリンタ１００は、プリンタ１００に関する各種の情報を表示可能な液晶パネルと、操作部と、からなる表示装置９を備えている。表示装置９は、プリンタ１００のエラー情報や消耗部品の交換時期に関する情報、画像形成部１によりシートＳに画像を形成する際におけるプリンタ１００の各種設定に関する情報等を表示する。表示装置９は、図１における扉ユニット２の奥側に配置されて装置本体９０に支持されている支持部材としての支持アーム１０に支持されている。支持アーム１０は、上下方向において扉ユニット２の下端部からプリンタ１００の上端部まで延びている。
【００１８】
［手差し給送扉］
次に、扉ユニット２について詳述する。扉ユニット２は、装置本体９０に開閉可能に支持される外装部２０と、シートＳが積載される手差しトレイ１８と、手差しトレイ１８に積載されたシートＳを画像形成部１へ給送するシート給送部３と、を有している。
【００１９】
外装部２０は、合成樹脂により一体的に箱状に形成されて装置本体９０の側面９１から突出して配置されており、シート積載部としての手差しトレイ１８、シート給送部３を保持している。手差しトレイ１８は、手差しトレイ１８に積載されているシートＳの幅方向Ｗ（図５参照）に延びる軸を中心に外装部２０に対して開閉可能に支持されており、図１に示す外装部２０に対して開放した状態でシートＳを積載可能となるように構成されている。シート給送部３は、給送ローラとしてのピックアップローラ７０と、フィードローラ７７と、リタードローラ７６と、駆動源としての駆動モータ３０（図３参照）と、を有し、駆動力を発生させる駆動モータ３０により駆動する。
【００２０】
ピックアップローラ７０は、ピックアップアーム７８によって昇降可能に支持されると共に、不図示のばねにより手差しトレイ１８に積載されたシートＳの最上位のシートに圧接しながら駆動モータ３０の駆動力により回転する。フィードローラ７７は、駆動モータ３０の駆動力により回転し、ピックアップローラ７０によって給送されたシートＳを搬送する。
【００２１】
リタードローラ７６は、フィードローラ７７に対して下方から圧接し、不図示のトルクリミッタを介して駆動モータ３０からのシート搬送方向と逆方向の駆動力により回転して、搬送されるシートＳを１枚ずつに分離する。なお、ピックアップローラ７０が、本実施の形態における給送手段を、フィードローラ７７及びリタードローラ７６が、本実施の形態における分離手段を構成する。このように構成されて、シート給送部３は、手差しトレイ１８に積載されたシートＳの最上位のシートから１枚ずつ給送する。シート給送部３によって給送されたシートＳは、装置本体９０に設けられている引抜きローラ対８９によってシート搬送方向下流に搬送される。
【００２２】
図２乃至図４に示すように、扉ユニット２は、支持アーム１０に隣接配置されている円筒状の軸部６を介して、上下方向に延びる軸Ｌを中心に装置本体９０に対して開閉可能に支持されている。
【００２３】
扉ユニット２は、扉ユニット２が装置本体９０に対して閉鎖した状態で外部から操作可能な把手部７を有している。把手部７は、扉ユニット２が装置本体９０に対して閉鎖した状態で装置本体９０の把手受け部８に係合し、扉ユニット２が開放することを規制している。把手部７が操作されて把手部７と把手受け部８との係合が解除されると、扉ユニット２は、開閉自在な状態となる。扉ユニット２が開放すると、扉ユニット２のフィードローラ７７やリタードローラ７６、装置本体９０の引抜きローラ対８９（それぞれ図１参照）等が露出して、メンテナンス作業や詰まったシートの除去作業等を行うことが可能な状態となる。
【００２４】
図５に示すように、外装部２０は、装置本体９０の側面９１外方に配置された底面２１（図１参照）と、下面２２と、下面２２に対向する上面２３と、上面２３と下面２２とを接続する右側面２５と、右側面２５に対向する左側面２６と、を有している。底面２１は、装置本体９０の側面９１に沿うように配置されている。下面２２は、手差しトレイ１８（図１参照）に積載されるシートＳの幅方向Ｗに延びている。右側面２５は、上下方向に延びる第１面２７と、第１面２７の上端と上面２３とを接続し、上下方向に対して傾斜するように延びる第２面２８と、を有している。即ち、第１面２７の上下方向における中心は、扉ユニット２の上下方向における中心である線Ｃに対して下方側に位置している。
【００２５】
このように、外装部２０は、第１面２７、第２面２８及び上面２３により、上面２３の延長面Ｐ１と第１面２７の延長面Ｐ２とからなる角が窪んだ凹部Ｄ１が形成されている。なお、軸Ｌは、装置本体９０の側面９１側、即ち図５の手前側における第１面２７の端部近傍に配置されている。また、外装部２０には、内側に複数の補強リブＲが形成されており、補強リブＲにより剛性を向上して、外力が加わった際の歪みや変形を低減している。
【００２６】
また、手差しトレイ１８の回転軸１９（図１参照）及びシート給送部３は、上面２３と下面２２との上下方向における中心、即ち扉ユニット２の上下方向における中心である線Ｃに対する一方側、即ち下方側の領域である領域Ｂに配置される。また、扉ユニット２は、線Ｃに対する他方側、即ち上方側に駆動部品等の重量の大きな構成部品を有していないため、扉ユニット２の重心Ｇは、扉ユニット２の上下方向における中心である線Ｃに対して下方側の領域である領域Ｂに位置している。
【００２７】
図６に示すように、扉ユニット２が装置本体９０に対して開放した状態では、外装部２０の第１面２７が、第１面２７の下端部から上端部に亘って支持アーム１０に当接して、扉ユニット２の開放角度が規制される。詳しくは、扉ユニット２が装置本体９０に対して所定角度開放すると、第１面２７の底面２１側、即ち図６（ａ）における手前側における端部２９が、第１面２７の下端部から上端部に亘って支持アーム１０に当接する。このように、扉ユニット２が装置本体９０に対して開放した状態で支持アーム１０に当接する第１面２７の底面２１側の端部２９は、その上端が扉ユニット２の上面より下方に位置している。
【００２８】
なお、上述した重心Ｇは、上下方向において第１面２７の底面２１側の端部２９と重なる位置に位置している。また、支持アーム１０が、本実施の形態における規制部を構成し、第１面２７の底面２１側における端部２９が、本実施の形態における当接領域を構成する。即ち、当接領域の上下方向における中心は、扉ユニット２の上下方向における中心である線Ｃに対して下方側に位置している。このように、扉ユニット２は、装置本体９０に対して開放した状態で、上下方向において重心Ｇと重なる位置で支持アーム１０と当接すると共に、凹部Ｄ１が位置する扉ユニット２の上部で支持アーム１０と当接しないように構成されている。
【００２９】
また、プリンタ１００は、装置本体９０と扉ユニット２とを接続して、扉ユニット２が装置本体９０に対して開放した状態で、扉ユニット２の開放角度を保持する保持手段としての図示しない保持アームを備えている。保持アームは、装置本体９０側に設けられたベース部と、一端が扉ユニット２側に連結され、他端がベース部と摺動するアーム部と、を有している。アーム部が摺動するベース部の摺動面には、凹部が形成されており、アーム部の他端には、凸部が形成されている。扉ユニット２が装置本体９０に対して開放した状態で、ベース部の凹部にアーム部の凸部が係合し、扉ユニット２の開放角度が保持される。ベース部の凹部にアーム部の凸部が係合した状態で、扉ユニット２が閉鎖方向へ所定以上の力で押されると、ベース部の凹部をアーム部の凸部が乗り上げてベース部の凹部とアーム部の凸部との係合が解除される。
【００３０】
［実施例］
以下に、本実施の形態に係る一例としての実施例について説明する。本実施の形態に係る実施例では、手差しトレイ１８と、駆動モータ３０を除くシート給送部３（図２参照）と、の合計質量が３．５ｋｇ、駆動モータ３０の質量が０．５ｋｇ、外装部２０を含むその他の部品の合計質量が０．９ｋｇとなっている。これらの構成の配置により、扉ユニット２の重心Ｇは、図５に示す位置に位置している。詳しくは、重心Ｇは、軸Ｌの軸方向と直交する径方向において右側面２５よりも軸Ｌから離間した位置に位置している。即ち、第１面２７の底面２１側における端部２９（図６参照）は、軸Ｌの径方向において重心Ｇよりも軸Ｌに近い位置に位置している。
【００３１】
当条件において、扉ユニット２を装置本体９０に対して開放した際に、本実施の形態に係る実施例及び比較例の扉ユニット２の、軸Ｌとは反対側の開放端である上部Ｊ及び下部Ｋ（共に図２参照）の変形量の測定結果について説明する。なお、比較例の扉ユニットは、本実施の形態に係る実施例の扉ユニット２に対し、第１面２７が上面２３まで延設されて凹部Ｄ１が形成されていないことのみが異なる。
【００３２】
当測定では、比較例及び本実施の形態に係る実施例の扉ユニットを、装置本体９０に対して開放する方向へ回動させ、扉ユニットが所定の角速度で支持アーム１０に当接してからの上部Ｊ及び下部Ｋの手差し給送扉の回動方向の変位と時間変化とを記録した。
【００３３】
図７に示すように、比較例及び本実施の形態に係る実施例の扉ユニットの上部Ｊ及び下部Ｋは、共に扉ユニットが支持アーム１０に当接後、慣性力により扉ユニットが変形しながら扉ユニットが装置本体９０に対して開放する方向へ変位する。その後、上部Ｊ及び下部Ｋは、扉ユニットが装置本体９０に対して閉鎖する方向へ変位し、扉ユニットの開放角度が保持部材により保持されることにより、開放する方向と閉鎖する方向とに繰返し変位して振動する。
【００３４】
比較例の扉ユニットにおいては、下部Ｋの変位の最大値に対して上部Ｊの変位の最大値が小さく、扉ユニットが捩れていることがわかる。これは、重心Ｇが線Ｃよりも下方である領域Ｂに位置していることで、上部Ｊが位置している領域Ａよりも、下部Ｋが位置している領域Ｂの方が、扉ユニットの慣性力が大きいためであると考えられる。
【００３５】
一方、本実施の形態に係る実施例の扉ユニット２においては、下部Ｋの変位の最大値と上部Ｊの変位の最大値との差が比較例より小さく、扉ユニット２の捩れが比較例より小さいことがわかる。これは、領域Ａの凹部Ｄ１が支持アーム１０に当接しないことにより、比較例の扉ユニットよりも、本実施の形態に係る実施例の扉ユニット２は、上部Ｊが位置している領域Ａが慣性力により変位しやすいためであると考えられる。
【００３６】
更に、本実施の形態に係る実施例の扉ユニット２は、比較例の扉ユニットに対して、支持アーム１０に当接した後に発生する振動の振幅が小さいことがわかる。このように、扉ユニット２は、凹部Ｄ１が形成されていることにより、支持アーム１０に当接した後の振動で受ける負担が低減するように構成されている。
【００３７】
以上のように、第１の実施の形態では、プリンタ１００は、扉ユニット２の重心Ｇが扉ユニット２の上下方向における中心である線Ｃに対して下方側に位置すると共に、凹部Ｄ１が線Ｃに対して下方側に形成されるように構成されている。これにより、扉ユニット２を開放した際の扉ユニット２の捩れの低減し、扉ユニット２の故障を低減することやシートＳの給送品質を向上することができる。また、これにより、扉ユニット２が支持アーム１０に当接した際、扉ユニット２が振動で受ける負担を低減することができる。更に、扉ユニット２の捩れや振動で受ける負担を低減することにより、外装部２０の補強リブＲを削減することが可能となり、扉ユニット２の重量を低減することや外装部２０の成形性を向上することができる。
【００３８】
また、第１の実施の形態では、プリンタ１００は、扉ユニット２を開放した際に扉ユニット２の外装部２０に当接する支持アーム１０が、扉ユニット２の開放角度を規制するように構成されている。これにより、扉ユニット２を装置本体９０に対して開放した状態における作業スペースの確保が容易となり、メンテナンス作業や詰まったシートの除去作業等における作業性を向上することができる。
【００３９】
なお、上述した実施の形態では、プリンタ１００は、扉ユニット２の重心Ｇが扉ユニット２の上下方向における中心である線Ｃに対して下方側に位置し、凹部Ｄ１が線Ｃに対して上方側に形成されるように構成されているが、これに限定されない。プリンタ１００は、扉ユニット２の重心Ｇが扉ユニット２の上下方向における中心である線Ｃに対して一方側に位置し、凹部Ｄ１が線Ｃに対して他方側に形成されるように構成されていればよい。例えば、プリンタ１００は、扉ユニット２の重心Ｇが扉ユニット２の上下方向における中心である線Ｃに対して上方側に位置し、凹部Ｄ１が線Ｃに対して下方側に形成されるように構成されていてもよい。
【００４０】
また、上述した実施の形態では、プリンタ１００は、上面２３、下面２２、第１面２７及び第２面２８が凹凸のない平坦な面であるように構成されているが、これに限定されない。プリンタ１００は、扉ユニット２を開放した際の扉ユニット２の捩れや振動の低減を図ることが可能に構成されていればよい。例えば、プリンタ１００は、上面２３、下面２２、第１面２７及び第２面２８が、扉ユニット２を開放した際の扉ユニット２の捩れや振動へ大きな影響を与えないような凹凸を有する面として構成されていてもよいし、曲面等として構成されていてもよい。また、このような場合、線Ｃは扉ユニット２の上端と下端との上下方向における中心であってもよい。また、凹部Ｄ１の形状は上述したものに限定されない。第１面２７が支持アーム１０に当接した状態で支持アーム１０や装置本体９０に当接しない形状であればよい。
【００４１】
また、上述した実施の形態では、プリンタ１００は、支持アーム１０が上下方向において扉ユニット２の下端部からプリンタ１００の上端部まで延びているように構成されているが、これに限定されない。支持アーム１０は、上下方向において少なくとも扉ユニット２の下端部から上端部まで延びていればよく、より詳しくは、第１面２７の下端部から上端部まで延びていればよい。また、この場合の上端部及び下端部は、厳密な意味での上端及び下端を意味しない。
【００４２】
また、上述した実施の形態では、装置本体９０に支持されている支持アーム１０が、扉ユニット２の開放角度を規制する規制部を構成しているが、これに限定されない。規制部は、扉ユニット２が装置本体９０に対して開放した状態で当接し、扉ユニット２の開放角度を規制可能であればよく、例えば、装置本体９０に設けられた他の部品が規制部を構成してもよいし、装置本体９０の側面９１が規制部を構成してもよい。また、プリンタ１００は、扉ユニット２が装置本体９０に対して開放した状態で、第１面２７が第２面２８より先に当接するように構成されていればよい。例えば、プリンタ１００は、装置本体９０に対して開放した際に、第１面２７が支持アーム１０に当接した後で、扉ユニット２が歪むことによって第２面２８が支持アーム１０と当接するように構成されていてもよい。
【００４３】
＜第２の実施の形態＞
次に、第２の実施の形態に係るプリンタ１０１について説明をする。なお、第２の実施の形態は、第１の実施の形態に対して外装部及び支持アームの形状が異なるのみで他の構成は同じであるため、同様の構成については説明を省略する。
【００４４】
図８に示すように、第２の実施の形態に係る手差し給送扉６２は、装置本体９０に支持されている外装部２０を有している。外装部２０は、装置本体９０の側面９１外方に配置された底面２１（図１参照）と、下面２２と、下面２２に対向する上面６４と、上下方向に延びて上面６４と下面２２とを接続する右側面６５と、右側面６５に対向する左側面２６と、を有している。支持アーム４０は、上下方向において手差し給送扉６２の下端部からプリンタ１０１の上端部まで延び、手差し給送扉６２が装置本体９０に対して開放した状態で右側面６５の上端部６６と対向する凹部Ｄ２を有している。
【００４５】
手差し給送扉６２が装置本体９０に対して開放した状態では、外装部６３の右側面６５の底面２１側における端部６７が支持アーム４０に当接して、手差し給送扉６２の開放角度が規制される。なお、支持アーム４０が、本実施の形態における規制部を構成し、右側面６５の底面２１側における端部６７の、上端部６６を除く支持アーム４０に当接する領域６８が、本実施の形態における当接領域を構成する。
【００４６】
以上のように、第２の実施の形態では、プリンタ１０１は、第１の実施の形態のように扉ユニット２に凹部Ｄ１を形成するというような形状的な制約を要することなく、扉ユニット２を開放した際の扉ユニット２の捩れを低減することができる。また、第１の実施の形態と同様に、扉ユニット２が支持アーム１０に当接した際、扉ユニット２が振動で受ける負担を低減することができる。
【００４７】
なお、第２の実施の形態では、支持アーム４０が凹部Ｄ２を有して、手差し給送扉６２の開放角度を規制する規制部を構成しているが、これに限定されない。規制部は、扉ユニット２が装置本体９０に対して開放した状態で当接し、扉ユニット２の開放角度を規制可能であればよい。例えば、装置本体９０に設けられた他の部品が凹部Ｄ２を有する規制部を構成してもよいし、装置本体９０の側面９１が凹部Ｄ２を有する規制部を構成してもよい。
【００４８】
また、既述のいずれの実施の形態においても、プリンタは、電子写真方式のレーザビームプリンタに限定されない。例えば、ノズルからインク液を吐出させることでシートに画像を形成するインクジェット方式のプリンタにも本発明を適用することが可能である。
【符号の説明】
【００４９】
２：扉ユニット／３：シート給送部／９：表示装置／１０：支持アーム（規制部、支持部材）／１８：手差しトレイ（シート積載部）／２２：下面／２３：上面／２５：側面／２７：第１面／２８：第２面／２９：端部（当接領域）／３０：駆動モータ（駆動源）／６２：手差し給送扉（扉）／６５：側面／６８：領域（当接領域）／７０：ピックアップローラ（給送手段）／７６：リタードローラ（分離手段）／７７：フィードローラ（分離手段）／９０：装置本体／１００：プリンタ（画像形成装置）／１０１：プリンタ（画像形成装置）／Ｃ：線（中心）／Ｄ２：凹部／Ｇ：重心／Ｌ：軸／Ｓ：シート
【図１】
2020003757.tif 000003
【図２】
2020003757.tif 000004
【図３】
2020003757.tif 000005
【図４】
2020003757.tif 000006
【図５】
2020003757.tif 000007
【図６】
2020003757.tif 000008
【図７】
2020003757.tif 000009
【図８】
2020003757.tif 000010